(57)【特許請求の範囲】
【請求項１】
壁面に設けられた取付け穴を覆う位置に取り付けられ、前記壁面と背面とが対向する取付け板と、
本体を構成し、箱体を形成するよう前記取付け板の前面に取付けられる意匠カバーと、
前記本体内に収納される制御基板とを備え、
前記取付け板の背面には配線溝が形成され、
前記配線溝の面上には、前記配線溝の壁を貫通し前記取付け板の背面と前面とを連絡する２つ以上の通孔が設けられ、
前記取付け穴から引き出された壁内配線が接続される接続端子に一端が接続され、前記制御基板に他端が接続される装置内配線が、前記通孔の１つを通過して前記配線溝に収納され、前記通孔とは異なる通孔を通過したのち、前記取付け板の前面に案内される
ことを特徴とする壁掛けコントローラ装置。
【請求項２】
前記配線溝の一部に他の部分よりも溝幅が広い幅広部を形成して、前記装置内配線の一部を前記幅広部に収納することを特徴とする請求項１記載の壁掛けコントローラ装置。
【請求項３】
前記装置内配線を前記取付け板の前面に案内される直前に通過する前記通孔は、前記取付け板にあって、前記本体の背面に前記装置内配線を接続する位置との距離が最も短くなる位置に貫設されることを特徴とする請求項１または請求項２に記載の壁掛けコントローラ装置。
【請求項４】
前記配線溝に収納される直前に通過する前記通孔と、前記取付け板の前面に案内される直前に通過する前記通孔とが前記取付け板の偏心した位置に貫設されることを特徴とする請求項１から請求項３のいずれかに記載の壁掛けコントローラ装置。
【請求項５】
前記取付け板の前面に案内される直前に通過する前記通孔を前記偏心する向きに斜設することを特徴とする請求項４に記載の壁掛けコントローラ装置。
【発明の詳細な説明】
【技術分野】
【０００１】
本発明は、壁面等の平面上に接地され、連携する対象機器の状態を目視確認し、あるいは対象機器を操作する壁掛けコントローラ装置に関する。
【背景技術】
【０００２】
従来の壁掛けコントローラ装置は、空気調和器や家庭用設置サーバーに代表される連携機器と接続され、連携機器から伝送される運転情報に関する信号に対し、連携機器を制御するための基板を備え、連携機器を操作する手段と連携機器の状態を表示するディスプレイ等を備えている。
【０００３】
そして壁掛けコントローラ装置の本体は、薄型の箱体にて形成され、液晶表示機能や操作ボタン等を備え、意匠面となるパネルと壁等の平面に設置あるいは埋め込む面を形成する取付け板を有している。（例えば特許文献１参照）
【０００４】
また、従来の壁掛けコントローラ装置は、電源供給や連携機器の信号を伝送する導線として、壁面側から壁の表面または内部を這わせて、壁掛けコントローラ装置の入力側の端子へと結合され、さらに本体内部に配線されて基板へと結線されている。（例えば特許文献２を参照）
【先行技術文献】
【特許文献】
【０００５】
【特許文献１】特開２０００−２０９６８５（第４頁、図１）
【特許文献２】特開２０１２−５８５５７（第１０頁、図２）
【発明の概要】
【発明が解決しようとする課題】
【０００６】
前述のように、従来の壁掛けコントローラ装置では、基板に直結する導線については、本体の内部に配線されているため、ある程度の長さを確保する必要があり、本体内部に収納する空間に基板との接触を避けるための仕切りや配線溝を設ける必要も生じるため、本体内部では基板を収納する空間が損なわれるとの課題を有していた。
【課題を解決するための手段】
【０００７】
本発明の壁掛けコントローラ装置は、前記の課題を解決する第１の発明として、
壁面に設けられた取付け穴を覆う位置に取り付けられ、前記壁面と背面とが対向する取付け板と、本体を構成し、箱体を形成するよう前記取付け板の前面に取付けられる意匠カバーと、前記本体内に収納される制御基板とを備え、前記取付け板の背面には配線溝が形成され、前記配線溝の面上には、前記配線溝の壁を貫通し前記取付け板の背面と前面とを連絡する２つ以上の通孔が設けられ、前記取付け穴から引き出された壁内配線が接続される接続端子に一端が接続され、前記制御基板に他端が接続される装置内配線が、前記通孔の１つを通過して前記配線溝に収納され、前記通孔とは異なる通孔を通過したのち、前記取付け板の前面に案内されることを特徴とする。
【０００８】
第二の発明として、前記配線溝の一部に他の部分よりも溝幅が広い幅広部を形成して、前記装置内配線の一部を前記幅広部に収納することができるものである。
【０００９】
第三の発明として、前記装置内配線を前記取付け板の前面に案内される直前に通過する前記通孔は、前記取付け板にあって、前記本体の背面に前記装置内配線を接続する位置との距離が最も短くなる位置に貫設するものである。
【００１０】
第四の発明として、前記配線溝に収納される直前に通過する前記通孔と、前記取付け板の前面に案内される直前に通過する前記通孔とが前記取付け板の偏心した位置に設けられているものである。
【００１１】
さらに第五の発明として、取付け板の前面に案内される直前に通過する前記通孔を、前記偏心する向きに斜設するものである。
【発明の効果】
【００１２】
本発明の壁掛けコントローラ装置は、前述の請求項１記載の構成とすることにより、装置内の配線を出来るだけ短く効率の良く配線できるとともに、装置の大きさの変更に対しても導線の長さを統一することで部品を共通化できる構造となる。
【００１３】
また、装置本体内の基板などの収納スペースを広く確保することができ、導線と基板の接触や、本体を構成する意匠カバーと取付け板の間に挟まること防止できるとともに、基板で発生する熱を装置本体から放出するための空間を確保する点で有利なものとなるため、装置の性能や安全性を維持向上できる。
【００１４】
その他、取付け板を壁面に固定した後であっても、配線、結線の作業が阻害されることがないとの効果をも有している。
【図面の簡単な説明】
【００１５】
【図１】本実施の形態に係る壁掛けコントローラ装置本体の分解斜視図である。
【図２】本実施の形態に係る壁掛けコントローラ装置の取付け板の正面側平面図（ａ）とそのＡ−Ａ線要部の断面図（ｂ）である。
【図３】本実施の形態に係る壁掛けコントローラ装置の取付け板の壁設置面に備える配線溝を示す図である。
【発明を実施するための形態】
【００１６】
以下、本発明に係る壁掛けコントローラ装置について好適な実施の形態を図１ないし図３を用い説明する。なお、本実施の形態は一例であって本発明が限定されるものではない。
【００１７】
壁掛けコントローラ装置は、図１に示すとおり、表示部２０ａと操作部２０ｂを備える意匠カバー２１と壁面３０上に設けた取付け穴３１を塞ぐ位置に設置する取付け板２が、意匠カバー２１と結合されて、薄い中空の箱体を形成するものであり、前記本体１の内部には制御基板２０が収納される。
【００１８】
意匠カバー２１、制御基板２０、取付け板２における配置、本体１の組立方法や結合手段についての詳細は、特許文献１にも記載されており、本発明と直接関係しないことから、ここでの説明は省略する。
【００１９】
本壁掛けコントローラ装置に電力や信号を供給する導線について図１、図２を用い説明する。電力供給のための導線や連携する操作・制御対象機器との間で信号の送受信するための導線は、これらを束ねてなる壁内配線１１として、図１および図２（ｂ）に記載している。
【００２０】
前述の壁内配線１１は、壁面３０の壁内配線１１の出口である取付け穴３１から導かれ、取付け板２の下側周辺部であって、取付け穴３１と対向する位置に設けた接続端子２ｄへと接続されている。ただし、前記接続端子２ｄの設置個所は、本体と異なる位置として、例えば本体外部の壁面３０内に設置してもよく、図１、図２（ａ）、図２（ｂ）で示される位置に限定されるものでない。
【００２１】
また、前記接続端子２ｄを経由し制御基板２０に接続する導線を装置内配線１０として示しており、装置内配線１０の先端には制御基板２０へ接続する端子である取付け板側コネクタ１２を設けている。
【００２２】
本体１を構成する意匠カバー２１を保持する取付け板２は、図１に記載の通り、壁面３０に設けた取付け穴３１を塞ぐ位置に取付けられるもので、本体意匠面を正面とした平面図である図２（ａ）と、その側面断面図である図２（ｂ）に記載するように、取付け板２の背面には、壁と接触する背面から正面方向に概ねＵ字形の凹部に代表される溝を形成した配線溝２ｃを設けている。
【００２３】
この配線溝２ｃは、接続端子２ｄの付近に直線状の直線溝部２ｅを形成させ、その先の溝の中間位置の溝の方向については、図２（ａ）に記載のＡ−Ａ線で示すように一部を鍵状に屈曲させてクランク状に形成し、さらに前記屈曲部の溝の幅は直線溝部２ｅより幅の広い空間を形成させた幅広部とし、この幅広部は、装置内配線１０の一部を弛ませ湾曲部を形成させ収納する空間として機能する収納部となる。
【００２４】
さらに、配線溝２ｃの溝が形成される面上には、取付け板２の背面と前面、すなわち配線溝２ｃの壁を貫通する穴を複数設け、これらの一例として、図２（ａ）、図２（ｂ）に記載のとおり、接続端子２ｄに近い側の穴で、取付け板２の背面へと案内される直前に通過する穴を通孔Ａ２ａと、装置内配線が基板側に設けた本体側コネクタ１３と近い側の穴で、取付け板２の前面へと案内される直前に通過する穴である通孔Ｂ２ｂとを設置し、各通孔は配線溝２ｃと連通するものである。
【００２５】
通孔Ａ２ａ、通孔Ｂ２ｂの大きさは、装置内配線１０の先端に設けた取付け板側コネクタ１２が通過するに充分な大きさを確保すればよく、これらの形状は多角形、丸形、楕円形などいずれの形状であってもよく、穴の位置についても、Ｕ字状の溝である場合、壁面上の穴や溝の壁面から両端に角部に及ばせた穴であっても良い。
【００２６】
通孔Ｂ２ｂの配置については、装置内配線１０の先端を通孔Ａ２ａから挿通する方向にあって、通孔Ａ２ａと通孔Ｂ２ｂが収納部を挟んで対向する位置とするもので、通孔Ｂ２ｂは、装置内配線１０を通孔Ａ２ａから挿通する方向の正面の位置より左右のいずれかにずらして配置させるものであるが、通孔Ａ２ａ、通孔Ｂ２ｂが本体側コネクタ１３から極力近い位置関係を確保することが望ましい。
【００２７】
また、通孔Ａ２ａ、通孔Ｂ２ｂの穴の方向となる断面形状については、通孔Ａ２ａは通孔Ｂ２ｂが配置される方向であって、前述の偏心する向きに、通孔Ｂ２ｂについては本体側コネクタ１３の方向にそれぞれ斜面を形成するように斜設することで、配線作業を円滑にできる構造にもなる。
【００２８】
前述の内容から、収納部２ｅの形状については、装置内配線１０を通孔Ａ２ａから挿通する方向に配線溝２ｃの壁面が位置する形状で、概ね四角形などの多角形が採用されるが、他に楕円形状であってもよい。
【００２９】
以上に述べた取付け板２を設けた壁掛けコントローラ装置では、接続端子２ｄを経由して制御基板２０に接続する装置内配線１０は、その先端を取付け板２の通孔Ａ２ａを介し一旦取付け板２の前面から背側へと挿通し、通孔Ａ２ａの先に連通して形成された配線溝２ｃの直線部へと導かれる。
【００３０】
そして、配線溝２ｃの直線溝部２ｅを経て通孔Ｂ２ｂへ装置内配線１０の先端を挿通させる過程で、通孔Ａ２ａ、通孔Ｂ２ｂとそれぞれ連通する収納部の空間に装置内配線１０の一部を弛ませ収納させながら装置内配線１０の先端を挿通させることで、装置内配線１０の先端を取付け板２の背面側から前面側へと戻し、制御基板２０に設けた本体側コネクタ１３へと導くことができる構成となる。
【符号の説明】
【００３１】
１  本体
２  取付け板
２ａ通孔Ａ
２ｂ通孔Ｂ
２ｃ配線溝
２ｄ接続端子
２ｅ直線溝部
１０  装置内配線
１１  壁内配線
１２  取付け板側コネクタ
１３  本体側コネクタ
２０  制御基板
２０ａ表示部
２０ｂ操作部
２１  意匠カバー
３０  壁面
３１  取付け穴
【図１】
0006415180.tif 000002
【図２】
0006415180.tif 000003
【図３】
0006415180.tif 000004